(57)【要約】【課題】  本発明は、吸熱側と排熱側を一定距離をおいて分けることができ、大型化、ラジエターコア化、ラメラ構造化、立体化、超薄型化、熱損失軽減が可能なセパレート型ペルチェシステムを提供することを課題とする。【解決手段】  Ｐ型熱電半導体１１、１２とＮ型熱電半導体２１、２２が金属板１３、２３を介して接合された熱電接合対１４、２４が複数配設された吸熱側モジュール１と排熱側モジュール２を備える。吸熱側モジュール１のＰ型熱電半導体１１と排熱側モジュール２のＰ型熱電半導体２１とがそれぞれ対応するように導体３により通電可能な状態で接続されるとともに、吸熱側モジュール１のＮ型熱電半導体１２と排熱側モジュール２のＮ型熱電半導体２２がそれぞれ対応するように導体３により通電可能な状態で接続されることにより、吸熱側モジュール１の熱電接合対１４と排熱側モジュール２の熱電接合対２４が交互に電気的に直列に接続されている。【選択図】  図１
2005228915.tif 000002
【特許請求の範囲】
【請求項１】
Ｐ型熱電半導体とＮ型熱電半導体が電極を介して接合された熱電接合対が複数配設された吸熱側モジュールと排熱側モジュールを備え、
前記吸熱側モジュールのＰ型熱電半導体と前記排熱側モジュールのＰ型熱電半導体とがそれぞれ対応するように導体により通電可能な状態で接続されるとともに、前記吸熱側モジュールのＮ型熱電半導体と排熱側モジュールのＮ型熱電半導体とがそれぞれ対応するように導体により通電可能な状態で接続されることにより、前記吸熱側モジュールの熱電接合対と前記排熱側モジュールの熱電接合対が交互に電気的に直列に接続されていることを特徴とするセパレート型ペルチェシステム。
【請求項２】
前記Ｐ型熱電半導体およびＮ型熱電半導体と導体とがカプラーにより脱着可能に接続されている請求項１に記載のセパレート型ペルチェシステム。
【請求項３】
前記吸熱側モジュールと排熱側モジュールの熱電接合対の設置密度がそれぞれ異なるものである請求項１または請求項２に記載のセパレート型ペルチェシステム。
【請求項４】
前記吸熱側モジュールおよび／または前記排熱側モジュールの熱電接合対は、薄型のＮ型熱電半導体を挟み込む態様で設けられた複数のＰ型熱電半導体と、薄型のＰ型熱電半導体を挟み込む態様で設けられた複数のＮ型熱電半導体とが電極を介して接合された積層構造となされている請求項１ないし請求項３のいずれかに記載のセパレート型ペルチェシステム。
【請求項５】
前記吸熱側モジュールのＰ型熱電半導体と排熱側モジュールのＰ型熱電半導体との間に、薄型のＮ型熱電半導体を挟み込んだ一対の薄型のＰ型熱電半導体が導体を介して設けられるとともに、
前記吸熱側モジュールのＮ型熱電半導体と排熱側モジュールのＮ型熱電半導体との間に、薄型のＰ型熱電半導体を挟み込んだ一対の薄型のＮ型熱電半導体が導体を介して設けられている請求項１から請求項３のいずれかに記載のセパレート型ペルチェシステム。
【請求項６】
前記吸熱側モジュールまたは排熱側モジュールは、並列して配置された第１導体および第２導体と、前記第１導体および第２導体を取り囲むように配置された第３導体とを備え、第１導体と第３導体の間にはＰ型熱電半導体が設けられ、且つ第２導体と第３導体の間にはＮ型熱電半導体が設けられており、それがケーシング内に複数配置されている請求項１から請求項３のいずれかに記載のセパレート型ペルチェシステム。
【請求項７】
前記吸熱側モジュールまたは排熱側モジュールは、並列して配置された第１導体および第２導体と、前記第１導体および第２導体の間に配置された第３導体とを備え、第１導体と第３導体の間にはＰ型熱電半導体が設けられ、且つ第２導体と第３導体の間にはＮ型熱電半導体が設けられ、それがケーシング内に複数配置されている請求項１から請求項３のいずれかに記載のセパレート型ペルチェシステム。
【請求項８】
前記吸熱側モジュールと排熱側モジュールとの間に、排熱側モジュールと吸熱側モジュールとからなる増幅モジュールが設けられている請求項１から請求項７のいずれかに記載のセパレート型ペルチェシステム。
【請求項９】
前記増幅モジュール内の吸熱側モジュールが排熱側モジュールに比べて熱電接合対の設置密度が密である請求項８に記載のセパレート型ペルチェシステム。  
【請求項１０】
前記増幅モジュール内の吸熱側モジュールと排熱側モジュールが電気的に直列に接続されている請求項８または請求項９に記載のセパレート型ペルチェシステム。
【請求項１１】
前記増幅モジュールは、並列して配置された第１導体および第２導体と、前記第１導体および第２導体を取り囲むように配置された第３導体とを備え、第１導体と第３導体の間にはＰ型熱電半導体が設けられ、且つ第２導体と第３導体の間にはＮ型熱電半導体が設けられた吸熱側モジュール及び排熱側モジュールとを備え、それら吸熱側モジュールと排熱側モジュールがケーシング内で交互に配列されている請求項８から請求項１０のいずれかに記載のセパレート型ペルチェシステム。
【請求項１２】
前記増幅モジュールは、並列して配置された第１導体および第２導体と、前記第１導体および第２導体の間に配置された第３導体とを備え、第１導体と第３導体の間にはＰ型熱電半導体が設けられ、且つ第２導体と第３導体の間にはＮ型熱電半導体が設けられた吸熱側モジュール及び排熱側モジュールとを備え、それら吸熱側モジュールと排熱側モジュールがケーシング内で交互に配列されている請求項８から請求項１０のいずれかに記載のセパレート型ペルチェシステム。
【発明の詳細な説明】
【技術分野】
【０００１】
本発明は、Ｐ型熱電半導体とＮ型熱電半導体からなり、電流を流すことにより吸熱と排熱を起こすペルチェシステムに関する。
【背景技術】
【０００２】
従来、一般に用いられる冷却装置は、フロンガスなどが使用されていたが、オゾン層破壊等の環境悪化を引き起こすために使用が一部禁止になっている。そこで、近年、冷却装置にフロンガスを使用されることが少なくなり、そのフロンガスに代わるものとしてペルチェ素子が使用されることが多くなってきている。このペルチェ素子は、図１２に示すように、Ｐ型熱電半導体（１０１）とＮ型熱電半導体（１０２）を電極（１０３）（１０４）で接合されたものであり、Ｐ型熱電半導体（１０１）の方から電流を流すと、上側の電極（１０３）において排熱するとともに、下側の電極（１０４）において吸熱する一方、逆にＮ型熱電半導体（１０２）の方から電流を流すと、上側の電極（１０３）（１０３）において吸熱するとともに、下側の電極（１０４）において排熱するという吸排熱現象（ペルチェ効果）が起こるものである。この吸排熱現象（ペルチェ効果）は、ペルチェ素子において電流を流すことにより吸熱側から排熱側に熱が移動するものと考えられていた。
【０００３】
このようなペルチェ素子を冷却装置に使用すれば、冷却装置はフロンガスを使用することなく冷却することができ、しかも駆動部がないことから静かであり、長寿命で軽くメンテナンスの必要がほとんどないというメリットがある（特許文献１参照）。
【特許文献１】特開２００３−１３０４８９号
【発明の開示】
【発明が解決しようとする課題】
【０００４】
しかしながら、上述のペルチェ素子では以下のような問題があった。
（１）吸熱側の電極と排熱側の電極とがＰ型熱電半導体およびＮ型熱電半導体により一体化されていることから、吸熱側と排熱側を一定距離をおいて分けることができないため、冷蔵庫や窓用エアコン等の一部の装置にしか使用できず汎用性が低い。
（２）吸熱と排熱が一体して行われるので熱応力が生じやすく、モジュール（ペルチェ素子が複数配列されたもの）の大型化、ラジエターコア化、ラメラ構造化、および立体化が困難である。
（３）熱伝導を防止するためにＰ型熱電半導体およびＮ型熱電半導体の厚みを２〜３ｍｍ程度にする必要であり超薄型化が困難である。
（４）Ｐ型熱電半導体およびＮ型熱電半導体の中を通る熱伝導による温冷却の熱損失が大きく、また電源をオフにした時の熱戻りが大きい。
本発明は、上述の問題に鑑みてなされたものであって、吸熱側と排熱側を一定距離をおいて分けることができ、大型化、ラジエターコア化、ラメラ構造化、立体化、超薄型化、熱損失軽減が可能なセパレート型ペルチェシステムを提供することを課題とする。
【課題を解決するための手段】
【０００５】
従来、ペルチェ素子では電流を流すと吸熱側から排熱側へと熱が移動していると考えられていたところ、本出願人は、吸熱側の熱の吸収と排熱側の熱の排出とが熱の移動によるものではなくそれぞれ独立して行われていることを発見し、その発見に基づいて本発明を行った。
【０００６】
即ち、本発明は、上記課題を解決するために、Ｐ型熱電半導体とＮ型熱電半導体が電極を介して接合された熱電接合対が複数配設された吸熱側モジュールと排熱側モジュールを備え、
前記吸熱側モジュールのＰ型熱電半導体と前記排熱側モジュールのＰ型熱電半導体とがそれぞれ対応するように導体により通電可能な状態で接続されるとともに、前記吸熱側モジュールのＮ型熱電半導体と排熱側モジュールのＮ型熱電半導体とがそれぞれ対応するように導体により通電可能な状態で接続されることにより、前記吸熱側モジュールの熱電接合対と前記排熱側モジュールの熱電接合対が交互に電気的に直列に接続されていることを特徴とする。
【０００７】
これによれば、吸熱側モジュールと排熱側モジュールが導体を介して分かれているので、吸熱側と排熱側を一定距離をおいて分けることができる。また、吸熱と排熱が一定距離をおいて別々に行われるので熱応力による問題がほとんどなく、モジュールの大型化、ラジエターコア化、ラメラ構造化、および立体化が可能となる。さらに、吸熱側から排熱側への熱伝導がほとんどないので、吸熱側と排熱側のＰ型熱電半導体およびＮ型熱電半導体の超薄型化が可能となる。さらにまた、導体の中を通る熱伝導による温冷却の熱損失がほとんどなく、電源をオフにした時の熱戻りを少なくすることが可能となる。
【０００８】
また、前記Ｐ型熱電半導体およびＮ型熱電半導体と導体とがカプラーにより脱着可能に接続されているのが好ましい。
【０００９】
これによれば、カプラー配線を変えたり、あるいは電流の方向をスイッチ等により変えることにより、様々な吸排熱のパターンを実現することができる。また、モジュールの一部の熱電半導体が故障した場合であっても、その故障した熱伝導体を避けて配線することを簡単に行うことができる。
【００１０】
また、前記吸熱側モジュールと排熱側モジュールの熱電接合対の設置密度がそれぞれ異なるものであるのが好ましい。
【００１１】
これによれば、より低温を必要とする装置では、吸熱側モジュールの熱電接合対の設置密度を密にして、排熱側モジュールの熱電接合対の設置密度を疎にして排熱側の面積を相対的に大きくして吸熱効率を上げることができる。また、より高温を必要とする装置では、吸熱側モジュールの熱電接合対の設置密度を疎にして、排熱側モジュールの熱電接合対の設置密度を密にして吸熱側の面積を相対的に大きくして排熱効率を上げることができる。
【００１２】
また、前記吸熱側モジュールおよび／または前記排熱側モジュールの熱電接合対は、薄型のＮ型熱電半導体を挟み込む態様で設けられた複数のＰ型熱電半導体と、薄型のＰ型熱電半導体を挟み込む態様で設けられた複数のＮ型熱電半導体とが電極を介して接合された積層構造となされているのが好ましい。
【００１３】
これによれば、Ｐ型熱電半導体とＮ型熱電半導体の間で排熱された熱が薄型のＰ型熱電半導体またはＮ型熱電半導体の中で伝導して、その熱がさらに隣側にあるＰ型熱電半導体とＮ型熱電半導体の間で吸熱されることにより増幅モジュールと同じ効果が得られる。即ち、この積層構造タイプのモジュールを使用することで増幅モジュールを使用しなくても大きな温度差を得ることができる。また、同じ導線配線の数および電流量でも熱電半導体の段数の倍数に比例した高い印可電圧をかけることができ、結果として同じ効率で導体配線の数を減らすことができる。
【００１４】
また、前記吸熱側モジュールのＰ型熱電半導体と排熱側モジュールのＰ型熱電半導体との間に、薄型のＮ型熱電半導体を挟み込んだ一対の薄型のＰ型熱電半導体が導体を介して設けられるとともに、前記吸熱側モジュールのＮ型熱電半導体と排熱側モジュールのＮ型熱電半導体との間に、薄型のＰ型熱電半導体を挟み込んだ一対の薄型のＮ型熱電半導体が導体を介して設けられているのが好ましい。
【００１５】
これによれば、薄型のＰ型熱電半導体およびＮ型熱電半導体を用いるので、製造コストを低減させつつ、増幅モジュールのように大きな温度差を得ることができる。
【００１６】
また、前記吸熱側モジュールまたは排熱側モジュールは、並列して配置された第１導体および第２導体と、前記第１導体および第２導体を取り囲むように配置された第３導体とを備え、第１導体と第３導体の間にはＰ型熱電半導体が設けられ、且つ第２導体と第３導体の間にはＮ型熱電半導体が設けられており、それがケーシング内に複数配置されているのが好ましい。
【００１７】
これによれば、吸熱側モジュールまたは排熱側モジュールをラジエター化して、より一層効率的に吸熱または排熱することができる。
【００１８】
また、前記吸熱側モジュールまたは排熱側モジュールは、並列して配置された第１導体および第２導体と、前記第１導体および第２導体の間に配置された第３導体とを備え、第１導体と第３導体の間にはＰ型熱電半導体が設けられ、且つ第２導体と第３導体の間にはＮ型熱電半導体が設けられ、それがケーシング内に複数配置されているのが好ましい。
【００１９】
これによれば、吸熱側モジュールまたは排熱側モジュールをラジエター化して、より一層効率的に吸熱または排熱することができる。
【００２０】
また、前記吸熱側モジュールと排熱側モジュールとの間に、排熱側モジュールと吸熱側モジュールとからなる増幅モジュールが設けられているのが好ましい。
【００２１】
これによれば、増幅モジュールに接続されている排熱側モジュールと吸熱側モジュールとの間で更なる温度差を得ることができる。
【００２２】
また、前記増幅モジュール内の吸熱側モジュールが排熱側モジュールに比べて熱電接合対の設置密度が密であるのが好ましい。
【００２３】
これによれば、増幅モジュール内で発生したジュール熱も吸収するのでより効率的な吸排熱を行うことができる。
【００２４】
また、前記増幅モジュール内の吸熱側モジュールと排熱側モジュールが電気的に直列に接続されているのが好ましい。
【００２５】
これによれば、吸熱側モジュールと排熱側モジュールのいずれか一方が故障した場合、電流が流れないことにより他方のモジュールも作動しなくなるので、並列の場合に比べて異常加熱を防止することできる。
【００２６】
また、前記増幅モジュールは、並列して配置された第１導体および第２導体と、前記第１導体および第２導体を取り囲むように配置された第３導体とを備え、第１導体と第３導体の間にはＰ型熱電半導体が設けられ、且つ第２導体と第３導体の間にはＮ型熱電半導体が設けられた吸熱側モジュール及び排熱側モジュールとを備え、それら吸熱側モジュールと排熱側モジュールがケーシング内で交互に配列されているのが好ましい。
【００２７】
これによれば、増幅モジュールをラメラ構造として、より一層効率的に吸排熱を行うことができる。
【００２８】
また、前記増幅モジュールは、並列して配置された第１導体および第２導体と、前記第１導体および第２導体の間に配置された第３導体とを備え、第１導体と第３導体の間にはＰ型熱電半導体が設けられ、且つ第２導体と第３導体の間にはＮ型熱電半導体が設けられた吸熱側モジュール及び排熱側モジュールとを備え、それら吸熱側モジュールと排熱側モジュールがケーシング内で交互に配列されているのが好ましい。
【００２９】
これによれば、増幅モジュールをラメラ構造として、より一層効率的に吸排熱を行うことができる。
【発明の効果】
【００３０】
本発明によれば、従来冷蔵庫や窓用エアコンにしか使用できなかったペルチェ素子をセパレート型のエアコンや電気温水器等に利用することができる。また、電気自動車、燃料電池車、ハイブリッド車、電車などの電気駆動車の冷暖房に簡単に利用することができる。また、コンピュータのＣＰＵ（中央演算処理装置）に吸熱側モジュールを配置して、排熱側モジュールをボディやボディの外に配置することができる。また、本セパレート型ペルチェシステムの吸熱低温を使用しての除湿と、排熱高温を使用しての暖房を個別又は併用して、除湿器、風呂場用冷暖房乾燥機、布団乾燥機、ドライヤー等に利用することができる。また、レーザー装置、バイオ・医療機器の冷却にも利用することができる。
【００３１】
また、吸熱側モジュールと排熱側モジュールとの間に温度差を設けると、ペルチェシステムに電流が流れることにより温度差発電が可能となる。自動車、船舶、航空機、その他のエンジンを熱源とすることで温度差を設けると発電が可能となる。特に熱源となるエンジンを持ち電気駆動であるハイブリッド車では燃費向上が期待できる。
【発明を実施するための最良の形態】
【００３２】
［実施形態１］
次に本発明の第１の実施形態について説明する。
【００３３】
図１は、この実施形態に係るセパレート型ペルチェシステムの構成概略図である。
【００３４】
このペルチェシステムは、吸熱側モジュール（１）と排熱側モジュール（２）とを備えている。
【００３５】
前記吸熱側モジュール（１）は、Ｐ型熱電半導体（１１）とＮ型熱電半導体（１２）が電極（１３）を介して接続された熱電接合対（１４）が吸熱板（１５）上に１個配置されている。前記排熱側モジュール（２）は、同じくＰ型熱電半導体（２１）とＮ型熱電半導体（２２）が電極（２３）を介して接続された熱電接合対（２４）が吸熱板（２５）上に２個配置されている。なお、吸熱側モジュール（１）については、その両端部に調整のためのＰ型熱電半導体（１１）とＮ型熱電半導体（１２）が配置されている。
【００３６】
前記吸熱側モジュール（１）のＰ型熱電半導体（１１）と排熱側モジュール（２）のＰ型熱電半導体（２１）とがそれぞれ対応するように細長状の導体（３）により通電可能な状態で接続されている。また、同じく前記吸熱側モジュール（１）のＮ型熱電半導体（１２）と排熱側モジュール（２）のＮ型熱電半導体（２２）とがそれぞれ対応するように細長状の導体（３）により通電可能な状態で接続されている。これにより、吸熱側モジュール（１）の熱電接合対（１４）と排熱側モジュール（２）の熱電接合対（２４）とは、それぞれ交互に電気的に直列に接続されることになる。
【００３７】
しかして、前記吸熱側モジュール（１）の左端部のＰ型熱電半導体（１１）を＋側の電極、右端部のＮ型熱電半導体（１２）を−側の電極として電流（直流、以下同様）を流すと、吸熱側モジュール（１）の吸熱板（１５）では吸熱することができるとともに、排熱側モジュール（２）の吸熱板（２５）では排熱することができる。また、逆に前記吸熱側モジュール（１）の左端部のＰ型熱電半導体（１１）を−側の電極、右端部のＮ型熱電半導体（１２）を＋側の電極として電流に流すと、排熱側と吸熱側が逆転して吸排熱を行うことができる。
【００３８】
すなわち、吸熱側モジュール（１）と排熱側モジュール（２）とが一定距離をおいて離れていても、それら吸熱側モジュール（１）と排熱側モジュール（２）のＰ型熱電半導体（１１）（２１）およびＮ型熱電半導体（１２）（２２）が互いに対応しながら導体（３）により通電可能な状態に接続されていれば、電極（１３）が吸熱することにより吸熱板（１５）では吸熱することができるとともに、電極（２３）が排熱することにより排熱板（２５）では排熱することができ、吸熱と排熱をそれぞれ独立に行うことができる。
【００３９】
このため、吸熱側モジュール（１）と排熱側モジュール（２）が導体（３）を介して分かれているので、吸熱側と排熱側を一定距離をおいて分けることができる。また、吸熱と排熱が一定距離をおいて別々に行われるので熱応力による問題がほとんどなく、モジュールの大型化、ラジエターコア化、ラメラ構造化、および立体化が可能となる。さらに、吸熱側から排熱側への熱伝導がほとんどないので、吸熱側と排熱側のＰ型熱電半導体（１１）（２１）およびＮ型熱電半導体（１２）（２２）の超薄型化が可能となる。さらにまた、導体（３）の中を通る熱伝導による温冷却の熱損失がほとんどなく、電源をオフにした時の熱戻りを少なくすることが可能となる。
【００４０】
なお、この実施形態では、吸熱側モジュール（１）と排熱側モジュール（２）の熱電接合対（１４）（２４）の設置密度をほぼ同一のものとしたが、異なるものとしてもよい。例えば、より低温を必要とする装置では、吸熱側モジュール（１）の熱電接合対（１４）の設置密度を密にして、排熱側モジュール（２）の熱電接合対（２４）の設置密度を疎にして排熱側の面積を相対的に大きくして吸熱効率を上げることができる。また、より高温を必要とする装置では、吸熱側モジュール（１）の熱電接合対（１４）の設置密度を疎にして、排熱側モジュール（２）の熱電接合対（２４）の設置密度を密にして吸熱側の面積を相対的に大きくして排熱効率を上げることができる。
【００４１】
これは、ＣＰＵ、ＣＣＤフォトダイオードの性能向上のための冷却に最適である。例えばパソコンのＣＰＵに高密度の吸熱側モジュール（１）を配置し、疎密度の排熱側モジュール（２）をパソコンのボディーに配置すると、かなりの冷却効果が得られＣＰＵの性能が向上する。また、ビデオカメラのＣＣＤに高密度の吸熱側モジュール（１）を配置し、疎密度の排熱側モジュール（２）をビデオカメラのＣＣＤから離れた場所に配置すると、ＣＣＤの冷却効果が得られるとともに、ＣＣＤにファンの振動やノイズが侵入することを防止することができる。
【００４２】
また、温度調節は、センサー等により温度を測定し、その測定した温度に基づいてサイリスタなどの細かいＯＮ−ＯＦＦ制御方式か電圧の制御方式で行うのが好ましい。
【００４３】
また、従来のペルチェ素子では、熱伝導率を小さくすることと電気抵抗を小さくすることで向上していたが、熱伝導率を小さくすることと電気抵抗を小さくすることとは材料の特性上相反するものであり、熱伝導と電気抵抗を同時に小さくすることは非常に困難であった。しかし、本発明によれば、熱伝導率を小さくする必要がないので、電気抵抗を小さくすることを優先的に開発することが可能となる。
【００４４】
また、ペルチェ素子材料は、結晶の向きによって性能に差があることから、単結晶化することで最も性能が良くなる。しかし、結晶粒が大きくなると脆くなるので、素子の性能と機械的強度との両立のために予め粉砕した微粉末を高温で押し出し固化成形した材料が使用されている。また、急冷することでさらに結晶の並びを良くした箔状素材を積み重ねて焼結した材料もある。本発明ではこの箔を従来より薄く１枚〜複数枚を接合させた素子を導体で挟み使用することで、ラジエター型モジュールなどでは格段に薄いコアを作成することが可能となる。また、粉砕した微粉末素子を導体で挟み込むと可塑性のあるモジュールを作成することが可能となる。
【００４５】
また、本システムをクーラー等に用いた場合、室内機側に吸熱モジュールを設け、室外機側に排熱モジュールを設けるが、それらのモジュールを接続する導体に発生するジュール熱を吸熱するためにさらに小型のペルチェシステムを用いてもよい。
【００４６】
［実施形態２］
次に本発明の第２の実施形態について説明する。
【００４７】
図２は、この実施形態に係るセパレート型ペルチェシステムの構成概略図である。
【００４８】
このペルチェシステムは、実施形態１と同様に吸熱側モジュール（１）と排熱側モジュール（２）とを備え、それら排熱側モジュール（１）および吸熱側モジュール（２）と導体（３）とがカプラー（４）（４）により脱着可能に接続されている。
【００４９】
前記吸熱側モジュール（１）と前記排熱側モジュール（２）は、いずれも同一の構造に形成されたものであり、Ｐ型熱電半導体（１１）（２１）とＮ型熱電半導体（１２）（２２）が電極（１３）（２３）を介して接続された熱電接合対（１４）（２４）が排熱板（１５）上または吸熱板（２５）上に複数配置され、その一方端部にはＵ字状の導体（５）が設けられている。
【００５０】
前記カプラー（４）は、接続端子（ａ）〜（ｊ）を有している。このうち接続端子（ａ）〜（ｈ）は各Ｐ型熱電半導体（１１）（２１）および各Ｎ型熱電半導体（１２）（２２）に接続されるとともに、接続端子（ｉ）（ｊ）は導体（５）に接続されている。
【００５１】
例えば、吸熱側モジュール（１）の各熱電半導体（接続端子ｂ〜ｉ）と排熱側モジュール（２）の各熱電半導体（接続端子ｈ〜ａ）とが対応するように導体（３）（Ａ〜Ｈ）をカプラー接続する。そして、吸熱側モジュール（１）の一方端部のＰ型熱電半導体（接続端子ａ）を−側の電極とし、他方端部の導体（５）（接続端子ｊ）を＋側の電極として電流を流すと、吸熱側モジュール（１）の吸熱板（１５）では全面に亘って吸熱することができるとともに、排熱側モジュール（２）の排熱板（２５）では全面に亘って排熱することができる。また、吸熱側モジュール（１）の一方端部のＰ型熱電半導体（接続端子ａ）を＋側の電極とし、他方端部の導体（５）（接続端子ｊ）を−側の電極として電流を流すと、吸熱側と排熱側が逆転して全面に亘って吸排熱することができる。
【００５２】
また、例えば、吸熱側モジュール（１）の各熱電半導体（接続端子ｂ〜ｅ）と排熱側モジュール（２）の各熱電半導体（接続端子ａ〜ｄ）とが対応するように導体（３）（Ａ〜Ｄ）をカプラー接続する。そして、吸熱側モジュール（１）の一方端部のＰ型熱電半導体（接続端子ａ）を−側の電極とし、他方端部のＮ型熱電半導体（接続端子ｆ）を＋側の電極として電流を流すと、吸熱側モジュール（１）の吸熱板（１５）では半面に亘って吸熱することができるとともに、排熱側モジュール（２）の排熱板（２５）では半面に亘って排熱することができる。また、吸熱側モジュール（１）の一方端部のＰ型熱電半導体（接続端子ａ）に＋側の電極とし、他方端部のＮ型熱電半導体（接続端子ｆ）を−側の電極として電流を流すと、吸熱側と排熱側が逆転して半面に亘って吸熱排熱することができる。
【００５３】
このように本ペルチェシステムは、吸熱側モジュール（１）と排熱側モジュール（２）はいずれも同じ構造であり、それら両モジュール（１）（２）を導体（３）によりカプラー接続するものであるので、カプラー配線を変えたり、あるいは電流の方向をスイッチ等により変えることにより、様々な吸排熱のパターンを実現することができる。また、モジュールの一部の熱電半導体が故障した場合であっても、その故障した熱伝導体を避けて配線することを簡単に行うことができる。
【００５４】
なお、この実施形態では、＋側の電極と−側の電極を排熱側または吸熱側のいずれか一方に集中させるものとしたが、図３に示すように、吸熱側と排熱側に別々に分けるものとしてもよい。
【００５５】
また、各導体（３）は別々の構成するものとしたが、それらを一束にまとめるものとしてもよい。
【００５６】
［実施形態３］
次に本発明の第３の実施形態について説明する。
【００５７】
図４は、この実施形態に係るセパレート型ペルチェの構成概略図である。
【００５８】
このペルチェシステムでは、吸熱側モジュール（１）は、薄型のＮ型熱電半導体（１７）を挟み込む態様で設けられた２個のＰ型熱電半導体（１１）（１１）と、薄型のＰ型熱電半導体（１６）を挟み込む態様で設けられた２個のＮ型熱電半導体（１２）（１２）とが電極（１３）を介して接合された３段積層構造の熱電接合対（１８）が配設されている。
【００５９】
また、排熱側モジュール（２）は、薄型のＮ型熱電半導体（２７）を挟み込む態様で設けられた３個のＰ型熱電半導体（２１）（２１）（２１）と、薄型のＰ型熱電半導体（２６）を挟み込む態様で設けられた３個のＮ型熱電半導体（２２）（２２）（２２）とが電極（２３）を介して接合された５段積層構造の熱電接合対（２８）が配設されている。
【００６０】
前記吸熱側モジュール（１）のＰ型熱電半導体（１１）と排熱側モジュール（２）のＰ型熱電半導体（２１）とがそれぞれ対応するように細長状の導体（３）により通電可能な状態で接続されている。また、同じく前記吸熱側モジュール（１）のＮ型熱電半導体（１２）と排熱側モジュール（２）のＮ型熱電半導体（２２）とがそれぞれ対応するように細長状の導体（３）により通電可能な状態で接続されている。これにより、吸熱側モジュール（１）の熱電接合対（１８）と排熱側モジュール（２）の熱電接合対（２８）とは、それぞれ交互に電気的に直列に接続されることになる。
【００６１】
しかして、前記吸熱側モジュール（１）の左端部のＰ型熱電半導体（１１）を＋側の電極、右端部のＮ型熱電半導体（１２）を−側の電極として電流を流すと、吸熱側モジュール（１）の電極（１３）では吸熱が行われる。そして、吸熱側モジュール（１）の下側のＰ型熱電半導体（１１）と薄型のＮ型熱電半導体（１７）との間で排熱が行われ、その熱が薄型のＮ型熱電半導体（１７）の中を伝導して、上側のＰ型熱電半導体（１１）と薄型のＮ型熱電半導体（１７）との間で吸熱が行われ、増幅モジュールと同じ効果が得られる。また、吸熱側モジュール（１）の下側のＮ型熱電半導体（１２）と薄型のＰ型熱電半導体（１６）との間で排熱が行われ、その熱が薄型のＰ型熱電半導体（１６）の中を伝導して、上側のＮ型熱電半導体（１２）と薄型のＰ型熱電半導体（１６）との間で吸熱が行われ、増幅モジュールと同じ効果が得られる。
【００６２】
一方、排熱側モジュール（２）の電極（２３）では排熱が行われる。そして、排熱側モジュール（２）の下側のＰ型熱電半導体（２１）と薄型のＮ型熱電半導体（２７）との間で排熱が行われ、その熱が薄型のＮ型熱電半導体（２７）の中を伝導して、上側の各Ｐ型熱電半導体（２１）と薄型のＮ型熱電半導体（２７）との間で吸熱が行われ、増幅モジュールと同じ効果が得られる。また、排熱側モジュール（２）の下側のＮ型熱電半導体（２２）と薄型のＰ型熱電半導体（２６）との間で排熱が行われ、その熱が薄型のＰ型熱電半導体（２６）の中を伝導して、上側のＮ型熱電半導体（２２）と薄型のＰ型熱電半導体（２６）との間で吸熱が行われ、増幅モジュールと同じ効果が得られる。
【００６３】
このようにＰ型熱電半導体とＮ型熱電半導体の間で排熱された熱が薄型のＰ型熱電半導体またはＮ型熱電半導体の中で伝導して、その熱がさらに上側にあるＰ型熱電半導体とＮ型熱電半導体の間で吸熱されることにより増幅モジュールと同じ効果が得られる。即ち、この積層タイプのモジュールを使用することで増幅モジュールを使用しなくても大きな温度差を得ることができる。また、同じ導線配線の数および電流量でも熱電半導体の段数の倍数に比例した高い印可電圧をかけることができ、結果として同じ効率で導体配線の数を減らすことができる。
【００６４】
なお、この実施形態では、吸熱側モジュール（１）では、Ｐ型熱電半導体とＮ型熱電半導体の３段積層構造としたが、それ以上の多段積層構造であってもよい。また、排熱側モジュール（２）では、Ｐ型熱電半導体とＮ型熱電半導体の５段積層構造としたが、その他の多段積層構造であってもよい。ただ、吸熱側と排熱側の多段積層構造の段数はなるべく導体配線側の温度が周囲の温度に近くなるように設定されるのが好ましい。
【００６５】
また、吸熱側モジュール（１）と排熱側モジュール（２）の両方の熱電半導体を積層構造としたが、いずれか一方のモジュールの熱電半導体のみを積層構造としてもよい。
【００６６】
［実施形態４］
次に本発明の第４の実施形態について説明する。
【００６７】
図５は、この実施形態に係るセパレート型ペルチェの構成概略図である。
【００６８】
このペルチェシステムでは、前記吸熱側モジュール（１）の薄型のＰ型熱電半導体（１１）と、排熱側モジュール（２）の薄型のＰ型熱電半導体（２１）との間に、薄型のＮ型熱電半導体（９２）を挟み込んだ一対の薄型のＰ型熱電半導体（９１）（９１）が薄型の導体（９３）を介して２組設けられている。
【００６９】
また、前記吸熱側モジュール（１）の薄型のＮ型熱電半導体（１２）と、排熱側モジュール（２）の薄型のＮ型熱電半導体（２２）との間に、薄型のＰ型熱電半導体（９１）を挟み込んだ一対の薄型のＮ型熱電半導体（９２）（９２）が薄型の導体（９３）を介して２組設けられている。
【００７０】
しかして、前記吸熱側モジュール（１）の左端部のＰ型熱電半導体（１１）を＋側の電極、右端部のＮ型熱電半導体（１２）を−側の電極として電流を流すと、吸熱側モジュール（１）の電極（１３）では吸熱が行われるとともに、排熱側モジュール（２）の電極（２３）では排熱が行われる。
【００７１】
そして、吸熱側モジュール（１）のＰ型熱電半導体（１１）と排熱側モジュール（２）のＰ型熱電半導体（２１）との間においては、下側のＰ型熱電半導体（９１）とＮ型熱電半導体（９２）との間で排熱が行われ、その熱がＮ型熱電半導体（９２）の中を伝導して、上側のＰ型熱電半導体（９１）とＮ型熱電半導体（９２）との間で吸熱が行われ、増幅モジュールと同じ効果が得られる。
【００７２】
また、吸熱側モジュール（１）のＮ型熱電半導体（１２）と排熱側モジュール（２）のＮ型熱電半導体（２２）との間においては、下側のＮ型熱電半導体（９２）とＰ型熱電半導体（９２）との間で排熱が行われ、その熱がＰ型熱電半導体（９１）の中を伝導して、上側のＮ型熱電半導体（９２）とＰ型熱電半導体（９１）との間で吸熱が行われ、増幅モジュールと同じ効果が得られる。
【００７３】
このように本システムは薄型のＰ型熱電半導体およびＮ型熱電半導体を用いるので、製造コストを低減させつつ、増幅モジュールのように大きな温度差を得ることができる。
【００７４】
なお、薄型のＮ型熱電半導体（９２）を挟み込んだ２組の薄型のＰ型熱電半導体（９１）（９１）、または薄型のＰ型熱電半導体（９１）を挟み込んだ２組の薄型のＮ型熱電半導体（９２）（９２）は、それぞれ２組づつ設けるものとしたが、１組あるいは３組以上設けるものとしてもよい。
【００７５】
また、図６に示すように、吸熱側モジュール（１）と排熱側モジュール（２）の間の途中に長い導体（３）を設けるものとしてもよい。
【００７６】
［実施形態５］
次に本発明の第５の実施形態について説明する。
【００７７】
図７は、前記セパレート型ペルチェシステムの吸熱側モジュール（１）または排熱側モジュール（２）をラジエターとして構成した第１の例である。
【００７８】
図７において、（７）は複数の吸熱側モジュール（１）を収容するケーシングである。この吸熱側モジュール（１）は、並列して配置された第１導体（３１）および第２導体（３２）と、前記第１導体（３１）および第２導体（３２）を取り囲むように配置された第３導体（３３）とを備え、第１導体（３１）と第３導体（３３）の間にはＰ型熱電半導体（１１）が複数設けられ、且つ第２導体（３２）と第３導体（３３）の間にはＮ型熱電半導体（１２）が複数設けられている。そして、これら吸熱側モジュール（１）が横方向に３列配置され、それと同じものがが奥行き方向に６列に配置されている。
【００７９】
しかして、第１導体（３１）を−側の電極、第２導体（３２）を＋側の電極として電流を流すと、第３導体（３３）が吸熱することにより吸熱側モジュールとして機能する。また、逆に第１導体（３１）を＋側の電極、第２導体（３２）を−側の電極として電流を流すと、第３導体（３３）が排熱することにより排熱側モジュールとして機能する。
【００８０】
図８は、前記セパレート型ペルチェシステムの吸熱側モジュール（１）または排熱側モジュール（２）をラジエターとして構成した第２の例である。
【００８１】
図８において、（７）は複数の吸熱側モジュール（１）を収容するケーシングである。これら吸熱側モジュール（１）は、並列して配置された第１導体（４１）および第２導体（４２）と、前記第１導体（４１）および第２導体（４２）の間に配置された第３導体（４３）とを備え、第１導体（４１）と第３導体（４３）の間にはＰ型熱電半導体（１１）が複数設けられ、且つ第２導体（４２）と第３導体（４３）の間にはＮ型熱電半導体（１２）が複数設けられている。そして、これら吸熱側モジュール（１）が横方向に３列配置され、それと同じものがが奥行き方向に５列に配置されている。なお、第３導体（４３）は１本の繋がったものではなく、上下に隣り合う熱電半導体間で途切れていてもよい。
【００８２】
しかして、第１導体（４１）を−側の電極、第２導体（４２）を＋側の電極として電流を流すと、第３導体（４３）が吸熱することにより吸熱側モジュールとして機能する。また、逆に第１導体（４１）を＋側の電極、第２導体（４２）を−側の電極として電流を流すと、第３導体（４３）が排熱することにより排熱側モジュールとして機能する。このため、吸熱側モジュールまたは排熱側モジュールをラジエター化して、より一層効率的に吸熱または排熱することができる。
【００８３】
なお、いずれの例においても、各吸熱側モジュール（１）（または排熱側モジュール（２））の間には、気体（空気など）や液体（水など）が流れるようになっている。
【００８４】
［実施形態６］
次に本発明の第６の実施形態について説明する。
【００８５】
図９は、この実施形態に係るセパレート型ペルチェシステムの構成概略図である。
【００８６】
このペルチェシステムは、２つのペルチェシステム（１００）（２００）が排熱側と吸熱側を対抗させて配置されることによって、第１ペルチェシステム（１００）の吸熱側モジュール（１）と、第２ペルチェシステム（２００）の排熱側モジュール（２）との間に増幅モジュール（８）が設けられた構造となされている。
【００８７】
この増幅モジュール（８）は、第１ペルチェシステム（１００）の排熱側モジュール（２）と、第２ペルチェシステム（２００）の吸熱側モジュール（１）とからなり、それら排熱側モジュール（２）と吸熱側モジュール（１）が電極（８１）を介して対抗している。
【００８８】
なお、吸熱側モジュール（１）、排熱側モジュール（２）、および導体（３）などの構造や接続方法は実施形態１または実施形態２と同様であるので、同一符号を付してその説明を省略する。
【００８９】
しかして、第１ペルチェシステム（１００）の吸熱側モジュール（１）のＰ型熱電半導体（接続端子ａ）を−側の電極、増幅モジュール（８）内の排熱側モジュール（２）のＰ型熱電半導体（接続端子ａ）を＋側の電極とし、同じく増幅モジュール（８）内の吸熱側モジュール（１）のＰ型熱電半導体（接続端子ａ）を−側の電極、第２ペルチェシステム（２００）の排熱側モジュール（２）のＰ型熱電半導体（接続端子ａ）を＋側の電極として電流を流す。すると、第１ペルチェシステム（１００）の吸熱側モジュール（１）が吸熱し、増幅モジュール（８）内の排熱側モジュール（２）が排熱し、その熱を増幅モジュール（８）内の吸熱側モジュール（１）が電極（８１）を介して吸熱し、第２ペルチェシステム（２００）の排熱側モジュール（２）がさらに排熱するので、ペルチェシステムが１つの場合に比べて更なる温度差を得ることができる。
【００９０】
なお、増幅モジュール（８）を構成する吸熱側モジュール（１）と排熱側モジュール（２）の熱電接合対の設置密度は同じでもよいが、増幅モジュール（８）を構成する吸熱側モジュール（１）が排熱側モジュール（２）に比べて密とするのが好ましい。これによれば、増幅モジュール（８）内で発生したジュール熱も吸収するのでより効率的な吸排熱を行うことができる。
【００９１】
また、増幅モジュール（８）内の吸熱側モジュール（１）と排熱側モジュール（２）の間の配線は電気的に直列とするのが好ましい。これによれば、吸熱側モジュール（１）または排熱側モジュール（２）のいずれか一方が故障した場合、電流が流れないことにより他方のモジュールも作動しなくなるので、並列の場合に比べて異常加熱を防止することできる。
【００９２】
また、２つのペルチェシステムを配置するものとしたが、更なる温度差を得るために３つ以上のペルチェシステムを配置するものとしてもよい。
【００９３】
［実施形態７］
次に本発明の第７の実施形態について説明する。
【００９４】
図１０は、前記セパレート型ペルチェシステムの増幅モジュール（８）をラメラ構造とした第１の例である。
【００９５】
この増幅モジュールは、吸熱側モジュール（１）（１）と、吸熱側モジュール（１）（１）の間に配置された排熱側モジュール（２）と、それら吸熱側モジュール（１）（１）および排熱側モジュール（２）を取り囲む態様で配置された排熱側モジュール（２’）とを備えてなる。
【００９６】
前記吸熱側モジュール（１）（１）は、例えば図７または図８に示すようなラジエター型の吸熱側モジュールに導体により接続される。また、排熱側モジュール（２）も、例えば図７または図８に示すようなラジエター型の吸熱側モジュールに導体により接続される。
【００９７】
前記吸熱側モジュール（１）は、並列して配置された第１導体（５１）および第２導体（５２）と、前記第１導体（５１）および第２導体（５２）を取り囲むように配置された第３導体（５３）とを備え、第１導体（５１）と第３導体（５３）の間にはＰ型熱電半導体（１１）が複数設けられ、且つ第２導体（５２）と第３導体（５３）の間にはＮ型熱電半導体（１２）が複数設けられている。前記排熱側モジュール（２）も吸熱側モジュール（１）と同様の構造である。
【００９８】
前記排熱側モジュール（２’）は、ケーシング（７）の両側部において並列して配置された第１導体（６１）および第２導体（６２）と、前記第１導体（６１）および第２（６２）に対抗するように配置されたコ字状の導体（６３）とを備え、導体（６１）と導体（６３）の間にはＮ型熱電半導体（２２）が設けられ、且つ第２導体（６２）と第３導体（６３）の間にはＰ型熱電半導体（２１）が設けられている。そして、これら吸熱側モジュール（１）と排熱側モジュール（２）（２’）が、奥行き方向に６列に配置されている。
【００９９】
しかして、吸熱側モジュール（１）の第１導体（５１）を−側の電極、第２導体（５２）を＋側の電極とし、排熱側モジュール（２）の第１導体（５１）を＋側の電極、第２導体（５２）を−側の電極とし、排熱側モジュール（２’）の第１導体（６１）を−側の電極、第２導体（６２）を＋側の電極として電流を流すと、排熱側モジュール（２）（２’）が排熱して、その熱を吸熱側モジュール（１）（１）が吸熱することができる。また、電流を逆に流すと、吸熱側モジュール（１）および排熱側モジュール（２）（２’）は上述とは逆の吸排熱を行うことができる。このため、増幅モジュールをラメラ構造として、より一層効率的に吸排熱を行うことが可能となる。
【０１００】
図１１は、前記セパレート型ペルチェシステムの増幅モジュール（８）をラメラ構造とした第２の例である。
【０１０１】
この増幅モジュール（８）は、吸熱側モジュール（１）と排熱側モジュール（２）が交互の配列されたものである。
【０１０２】
前記吸熱側モジュール（１）および排熱側モジュール（２）は、並列して配置された第１導体（７１）および第２導体（７２）と、前記第１導体（７１）および第２導体（７２）の間に配置された第３導体（７３）とを備え、第１導体（７１）と第３導体（７３）の間にはＰ型熱電半導体（１１）が複数設けられ、且つ第２導体（７２）と第３導体（７３）の間にはＮ型熱電半導体（１２）が複数設けられている。そして、これら吸熱側モジュール（１）と排熱側モジュール（２）が交互に横方向に６列に配置され、これらが奥行き方向に６列配置されている。
【０１０３】
しかして、吸熱側モジュール（１）の第１導体（７１）を−側の電極、第２導体（７２）を＋側の電極とし、排熱側モジュール（２）の第１導体（７１）を＋側の電極、第２導体（７２）を−側の電極として電流を流すと、排熱側モジュール（２）…（２）が排熱して、その熱を吸熱側モジュール（１）…（１）が吸熱することができる。
【０１０４】
なお、以上の第１および第２の例において、吸熱側モジュール（１）が、排熱側モジュール（２）に比べてＰ型熱電半導体（１１）およびＮ型熱電半導体（１２）の設置密度が高くなるように構成されるのが好ましい。これによれば、増幅モジュール内で発生したジュール熱も吸収するのでより効率的な吸排熱を行うことができる。
【０１０５】
なお、上述の実施形態１〜７に示すような本発明は、地下の送電線の冷却にも適用してもよい。地下の送電線に本発明のセパレート型ペルチェシステムとダイオードを併用して使用すると、温度差発電の原理と誘導電流を利用して送電線の冷却が可能となる。即ち、吸熱側モジュールを送電線に沿って設けて、排熱側モジュールを地上等に設けると、送電線の発熱による温度差発電の原理でペルチェシステムに電流が流れ、吸熱側モジュールが吸熱することができる。また、ペルチェシステムには、この温度差発電による電流以外に送電線を流れる電流により誘導電流が流れるので、この誘導電流をダイオードで整流すると、吸排熱を行うことができる。発電が目的ではないのでペルチェシステムの配線を減らすために作動電圧は低く設定するのが好ましい。排熱側モジュールは並列配線のラジエータ型が好ましく、吸熱側モジュールは面型または棒型のものを送電線の周囲に使用するのが好ましい。非常時には外部より電圧をかけて強制的に電流を流すものとするのが好ましい。
【産業上の利用可能性】
【０１０６】
自動車、船舶、あるいは家電機器などの温冷却装置等に適用できる。
【図面の簡単な説明】
【０１０７】
【図１】本発明の第１の実施形態に係るセパレート型ペルチェシステムの構成概略図である。
【図２】第２の実施形態に係るセパレート型ペルチェシステムの第１の例を示す構成概略図である。
【図３】第２の実施形態に係るセパレート型ペルチェシステムの第２の例を示す構成概略図である。
【図４】第３の実施形態に係るセパレート型ペルチェシステムの構成概略図である。
【図５】第４の実施形態に係るセパレート型ペルチェシステムの第１の例を示す構成概略図である。
【図６】第４の実施形態に係るセパレート型ペルチェシステムの第２の例を示す構成概略図である。
【図７】第５の実施形態に係るセパレート型ペルチェシステムの吸熱側モジュールまたは排熱側モジュールの第１の例を示す構成概略図である。
【図８】第５の実施形態に係るセパレート型ペルチェシステムの吸熱側モジュールまたは排熱側モジュールの第２の例を示す構成概略図である。
【図９】第６の実施形態に係るセパレート型ペルチェシステムを示す構成概略図である。
【図１０】第７の実施形態に係るセパレート型ペルチェシステムの増幅モジュールの第１の例を示す構成概略図である。
【図１１】第７の実施形態に係るセパレート型ペルチェシステムの増幅モジュールの第２の例を示す構成概略図である。
【図１２】従来のペルチェ素子を示す構成概略図である。
【符号の説明】
【０１０８】
１・・・吸熱側モジュール
２・・・排熱側モジュール
１１、２１・・・Ｐ型熱電半導体
１２、２２・・・Ｎ型熱電半導体
１３、２３・・・電極
１４、２４・・・熱電接合対
１５・・・吸熱板
２５・・・排熱板
【図１】
2005228915.tif 000003
【図２】
2005228915.tif 000004
【図３】
2005228915.tif 000005
【図４】
2005228915.tif 000006
【図５】
2005228915.tif 000007
【図６】
2005228915.tif 000008
【図７】
2005228915.tif 000009
【図８】
2005228915.tif 000010
【図９】
2005228915.tif 000011
【図１０】
2005228915.tif 000012
【図１１】
2005228915.tif 000013
【図１２】
2005228915.tif 000014